(57)【特許請求の範囲】
【請求項１】
透光用の円形孔（２）を備えたアパーチャ（１）を光源と結像用レンズの間に設けると共に、前記アパーチャの一側に前記円形孔を通る光の遮断を行う複数枚の扇形状のカッター羽根（３ａ〜３ｆ）を、前記円形孔の軸線（２ａ）と平行な支軸（４ａ〜４ｆ）によっておのおの回動自在に支持して、各カッター羽根の個別の回動のみにより前記円形孔の形状、大きさを適宜変更して任意枠形の投光を形成するカッタースポットライトであって、
上記複数枚のカッター羽根は、上記円形孔を囲むよう等間隔ごとに配設した４枚のカッター羽根（３ａ〜３ｄ）と、それら４枚のカッター羽根の内の隣り合うカッター羽根同士の間にそれぞれ配設した２枚のカッター羽根（３ｅ，３ｆ）との計６枚であると共に、前記４枚のカッター羽根（３ａ〜３ｄ）は９０度に開く扇形状、前記２枚のカッター羽根（３ｅ，３ｆ）は１２０度に開く扇形状であり、
前記それぞれの支軸（４ａ〜４ｆ）は、前記各カッター羽根（３ａ〜３ｆ）の扇形状の頂点部分に設けた軸支部（３４）を回動自在に支持するべく、前記円形孔（２）の内側に突出しない範囲で前記円形孔（２）に近接して設けられ、且つ前記円形孔（２）と同心状の円（８）の円周上に配置されていることを特徴とするカッタースポットライト。
【請求項２】
上記複数枚のカッター羽根（３ａ〜３ｆ）を、上記円形孔（２）の軸線（２ａ）を中心として回転自在に支持された基板（２０）に取り付けたことを特徴とする請求項１に記載のカッタースポットライト。
【請求項３】
上記複数枚のカッター羽根（３ａ〜３ｆ）および基板（２０）に回動操作用のレバー（４０ａ〜４０ｇ）をおのおの設け、それらレバーの手動操作によりそれぞれのカッター羽根（３ａ〜３ｆ）と基板（２０）が回動するよう構成した請求項２記載のカッタースポットライト。
【請求項４】
上記それぞれのカッター羽根（３ａ〜３ｆ）を個別に回動させる羽根用の駆動機構（１２ａ〜１２ｆ）と、上記基板（２０）を回動させる基板用の駆動機構（１７）とを備え、前記羽根用駆動機構の作動で任意枚数のカッター羽根（３ａ〜３ｆ）を適宜角度回動させて、任意枠形の投光を所望の大きさに変更して形成し得るようにする一方、前記カッター羽根の変位角度分だけ上記基板（２０）を逆転させて、各カッター羽根で任意枠形に形成される相似形状の投光の向きを一定に保つよう、前記基板用駆動機構の作動を制御可能に構成した請求項２記載のカッタースポットライトであって、
前記それぞれのカッター羽根（３ａ〜３ｆ）の扇形の外周に相当する円弧状辺部にラック状歯部（３１）を形成し、それぞれのラック状歯部（３１）に噛合する歯車（１１ａ〜１１ｆ）と、該各歯車を回動させる前記羽根用の駆動機構（１２ａ〜１２ｆ）が、前記アパーチャ（１）の外周縁側に配設されていることを特徴とするカッタースポットライト。
【発明の詳細な説明】
【０００１】
【発明の属する技術分野】
本発明は、テレビスタジオや劇場，舞台などの照明を行うカッタースポットライトに関し、詳しくは、透光用の円形孔を備えたアパーチャを光源と結像用レンズの間に設けると共に、前記アパーチャの一側に前記円形孔を通る光の遮断を行うカッター羽根を複数枚配設し、それらカッター羽根で前記円形孔の形状、大きさを適宜変更して、方形、矩形、三角形、台形などの任意枠形の投光を形成するカッタースポットライトに関する。
【０００２】
【従来の技術】
従来、この種カッタースポットライトは、透光用の円形孔を囲むように、複数枚のカッター羽根を傾動且つ進退自在に支持してなり、それらカッター羽根に設けたレバーを操作することでそれぞれのカッター羽根を個別に移動させて前記円形孔の形状を適宜変更し、任意枠形の投光を形成するようになっている。それぞれのカッター羽根は両側面に設けた押え板にて挟持され、その位置を保持している。
【０００３】
上記したカッタースポットライトによれば、レバー操作によって方形、矩形、三角形、台形などの任意枠形の投光を適宜大きさに変更して形成することができるが、そのレバー操作は、光源を点灯し、投影照射面を目視しながら、それぞれのレバーを摺動させて所望位置に移動するもので、その操作には技術、経験、時間を必要とし、特に同一形状の投光の再現性が難しく、熟練を要するものであった。
【０００４】
一方、近年においては、上記各カッター羽根の移動を駆動機構によって行うようにし、その駆動機構を遠隔操作によって作動させて所要形状のスポットビームの再現を行うようにすることが提案されている（例えば特開平７−３２０５０１号など）。
【０００５】
【発明が解決しようとする課題】
しかし乍ら上記従来のカッタースポットライトでは、カッター羽根を傾動且つスライドさせて所要形状のスポットビームを得るので、駆動機構によってそれぞれのカッター羽根を所定量変位させるための制御機構が複雑になるという問題があった。
【０００６】
本発明はこのような従来事情に鑑みてなされたもので、その目的とする処は、各カッター羽根の動作を単純化しながら、任意枠形の投光を適宜大きさに変更して形成することができ、よって、簡単な構造で、再現性，操作性にも優れ、自動制御化も容易になすことができる新規なカッタースポットライトを提供することである。
【０００７】
【課題を解決するための手段】
上述の目的を達成するために本発明のカッタースポットライトは、請求項１記載のように、透光用の円形孔を備えたアパーチャを光源と結像用レンズの間に設けると共に、前記アパーチャの一側に前記円形孔を通る光の遮断を行う複数枚の扇形状のカッター羽根を、前記円形孔の軸線と平行な支軸によっておのおの回動自在に支持して、各カッター羽根の個別の回動のみにより前記円形孔の形状、大きさを適宜変更して任意枠形の投光を形成するカッタースポットライトであって、
上記複数枚のカッター羽根は、上記円形孔を囲むよう等間隔ごとに配設した４枚のカッター羽根と、それら４枚のカッター羽根の内の隣り合うカッター羽根同士の間にそれぞれ配設した２枚のカッター羽根との計６枚であると共に、前記４枚のカッター羽根は９０度に開く扇形状、前記２枚のカッター羽根は１２０度に開く扇形状であり、
前記それぞれの支軸は、前記各カッター羽根の扇形状の頂点部分に設けた軸支部を回動自在に支持するべく、前記円形孔の内側に突出しない範囲で前記円形孔に近接して設けられ、且つ前記円形孔と同心状の円の円周上に配置されていることを特徴とする。
このように形成した場合、それぞれのカッター羽根は支軸を支点として、上記円形孔の軸線と直交する方向におのおの回動自在であり、任意枚数のカッター羽根を支軸を中心に適宜角度回動させることのみで、任意枠形で所望の大きさの投光を形成することができる。
すなわち、９０度に開く扇形状の前記４枚のカッター羽根を適宜角度回動させることで、それら４枚のカッター羽根で囲まれた少なくとも四つの辺部を有する枠形、例えば方形状，矩形状，菱形，台形などの、所望の大きさの投光を形成することができる。加えて、それら４枚の内の任意の１枚のカッター羽根と、１２０度に開く扇形状の上記２枚のカッター羽根との計３枚のカッター羽根を適宜角度回動させることで、それら３枚のカッター羽根で囲まれた少なくとも三つの辺部を有する枠形、例えば三角形状などの、所望の大きさの投光を形成することができる。
また、各カッター羽根の軸支位置が、可能な限り円形孔に近接して設けられているので、各カッター羽根の大きさをできる限り小さくし、且つその回動量をできる限り少ないものにしながら、前記した各種形状の枠形の投光を形成することができる。よって、カッタースポットライト全体のコンパクト化や低コスト化にも有利である。
【００１０】
また本発明は請求項２記載のように、上記複数枚のカッター羽根を、上記円形孔の軸線を中心として回転自在に支持された基板に取り付けることが好ましい。
このように形成した場合、任意枚数のカッター羽根を適宜角度回動させて任意枠形に形成される投光の向きを、前記基板を適宜角度回転させることで任意な方向に変更することができる。また、任意枚数のカッター羽根を適宜角度回動させて任意枠形に形成される相似形状の投光の向きを、前記基板を適宜角度回転させることで一定に保つことができるようになる。
【００１１】
また本発明は請求項３記載のように、上記複数枚のカッター羽根および基板に回動操作用のレバーをおのおの設け、それらレバーの手動操作によりそれぞれのカッター羽根と基板が回動するよう構成することが好ましい。
このように形成した場合、適宜のレバーを手動操作し、任意枚数のカッター羽根を支軸を中心に適宜角度回動させるだけで、任意枠形で所望の大きさの投光を形成すると共に、上記基板を適宜角度回転させるだけで、相似形状の投光の向きを一定に保つことができる。
【００１２】
また本発明は請求項４記載のように、上記それぞれのカッター羽根を個別に回動させる羽根用の駆動機構と、上記基板を回動させる基板用の駆動機構とを備え、前記羽根用駆動機構の作動で任意枚数のカッター羽根を適宜角度回動させて、任意枠形の投光を所望の大きさに変更して形成し得るようにする一方、前記カッター羽根の変位角度分だけ上記基板を逆転させて、各カッター羽根で任意枠形に形成される相似形状の投光の向きを一定に保つよう、前記基板用駆動機構の作動を制御可能に構成した請求項２記載のカッタースポットライトにおいて、
前記それぞれのカッター羽根の扇形の外周に相当する円弧状辺部にラック状歯部を形成し、それぞれのラック状歯部に噛合する歯車と、該各歯車を回動させる前記羽根用の駆動機構が、前記アパーチャの外周縁側に配設されていることが好ましい。
このように形成した場合、羽根用駆動機構を作動させて任意枚数のカッター羽根を適宜角度回動させることのみで、任意枠形で所望の大きさの投光を形成し、且つ基板用駆動機構を作動させて、前記カッター羽根の変位角度分だけ上記基板を逆転させることのみで、各カッター羽根で任意枠形に形成される相似形状の投光の向きを一定に保つことができる。
また、各カッター羽根を扇形とし、該扇形の外周に相当する円弧状辺部にラック状歯部を形成することで、カッター羽根を回動させるための羽根用駆動機構、歯車等をアパーチャの外周縁側に配設することができる。
よって、各カッター羽根を円形孔に可能な限り近接する位置で軸支し得、自動タイプにおいても前述の効果を確実に得ることができる。さらに、羽根用駆動機構を、高熱となる円形孔からできる限り離間させて配置し得るので、該駆動機構の長期の使用にも有利である。
【００１３】
【発明の実施の形態】
以下、本発明の実施の形態の一例を図面を参照して説明する。図１は本発明に係るカッタースポットライトＡの概略、図２〜図９はその要部であるカッター部ａ1 の概略を示し、カッタースポットライトＡは、光源ａ2 を収納したランプハウス部Ａ1 と、結像用レンズａ3 を収納したレンズ筒部Ａ2 との間にカッター部ａ1 を配設してなる。
ランプハウス部Ａ1 、レンズ筒部Ａ2 はそれぞれ、カッター部ａ1 に向けて段設状に形成されるカバー部Ａ3,Ａ4 を備え、それらランプハウス部Ａ1 、レンズ筒部Ａ2 、カバー部Ａ3,Ａ4 が、カッタースポットライトＡの機体Ａ’を構成するようになる。
【００１４】
まず図２〜図８に示す、カッター羽根3a〜3fと基板20を駆動機構12a 〜12f,17で回動させる自動タイプについて説明すれば、図中１は前記光源ａ2 と結像用レンズａ3 の間に配置された円板状のアパーチャで、該アパーチャ１の中央部には透光用の円形孔２が設けられている。またアパーチャ１の一側には、円形孔２を通る光の遮断を行うカッター羽根が複数枚配設されると共に、それぞれのカッター羽根3a〜3fを個別に回動させる羽根用の駆動機構12a 〜12f が配設される。
【００１５】
カッター羽根は、円形孔２を囲むよう等間隔ごとに配設した４枚のカッター羽根3a,3b,3c,3d と、それら４枚のカッター羽根3a〜3dの内の隣り合うカッター羽根3a,3c 、3b,3c 同士の間にそれぞれ配設した２枚のカッター羽根3e,3f との計６枚が備えられ、且つそれぞれのカッター羽根3a〜3fは、円形孔２の軸線2aと平行な支軸4a〜4fによっておのおの回動自在に支持されていて、各カッター羽根3a〜3fの個別の回動により円形孔２の形状、大きさを適宜変更し任意枠形の投光を形成するようになっている。
【００１６】
アパーチャ１の一側（カッター羽根配設側）には、アパーチャ１外周縁に沿って等間隔ごとに固設した複数のスペーサ5aを介して第一隔板6aを固定して第一間隙7aを形成し、さらに第一隔板6a外周縁に沿って等間隔ごとに固設した複数のスペーサ5bを介して第二隔板6bを固定して第二間隙7bを形成し、上記６枚のカッター羽根3a〜3fの内、3fを第一間隙7a内に、3c,3d,3eを第二間隙7b内に、3a,3b を第二隔板6bの表面側にそれぞれ分散して配設することで、それぞれのカッター羽根3a〜3fが互いに干渉されずに回動するようになっている。
【００１７】
カッター羽根3a〜3fは、この種技術分野において通常用いられる材質によって一体形成された薄板状のもので、平面視略半円形状，三角形状，多角形状等の各種形状とすることが可能であるが、本例では図示するように、円弧状辺部31と直線状辺部32,33 とで囲まれた平面視略扇形状に形成すると共に、頂点部分に突設した軸支部34に支軸4a〜4fを挿着することで、円形孔２の軸線2aと直交する方向へ回動自在に支持されている。
【００１８】
支軸4a〜4fは各カッター羽根3a〜3fごとに設けられたもので、前記軸線2aと平行に位置するよう、アパーチャ１、第一隔板6a、第二隔板6bのいずれかに取り付けられている。
それぞれの支軸4a〜4fは、装着される軸支部34が円形孔２の内側に突出しない範囲で円形孔２に近接して設けられ、且つ各支軸4a〜4fは、円形孔２と同芯状の円８の円周上に配置される。その中で、上述した４枚のカッター羽根3a,3b,3c,3d のそれぞれの支軸4a,4b,4c,4d は、上記円８を均等に４分割する十字状の線９と円８との交差する箇所に配置される。また前記４枚の内の１枚であるカッター羽根3dと上述した２枚のカッター羽根3e,3f のそれぞれの支軸4d,4e,4fは、上記円８を均等に３分割するＹ字状の線10と円８との交差する箇所に配置される。
【００１９】
カッター羽根3a〜3fの円弧状辺部31に沿ってはラック状の歯部が形成され、それぞれの歯部31に噛合する歯車11a 〜11f がアパーチャ１、第一隔板6a、第二隔板6bのいずれかに取り付けられている。それぞれの歯車11a 〜11f は、各カッター羽根3a〜3fごとに設けた駆動機構12a 〜12f の出力軸12’に装着されており、駆動機構12a 〜12f の作動で歯車11a 〜11f がおのおの所定量回動するに伴い、各カッター羽根3a〜3fがおのおの所定角度回動するようになっている。
【００２０】
上記駆動機構12a 〜12f および後述する駆動機構17は、油，空圧モータや電動モータ（ステップモータ）等を用い、コンピュータ等により構成される不図示のコントロール部での遠隔操作によりその作動を制御されるようになっている。
また羽根用の駆動機構12a 〜12f は、上述した第二隔板6bに取り付けられている。
【００２１】
一方、アパーチャ１の他側には、上記円形孔２と同芯状に筒体13を固定し、その筒体13の端部口縁に沿って形成される環状のガイドレール14を、カッタースポットライトＡの機体側、例えばランプハウス部Ａ1 に連設されるカバー部Ａ4 に回転自在に軸止される複数のこまａ4 によって空芯状で回転自在に支持される。これにより、前記筒体13、ガイドレール14、アパーチャ１、第一隔板6a、第二隔板6bによって構成される基板20が、上記円形孔２の軸線2aを中心として回転自在に支持されるようになる。
前記筒体13の外周面には外歯車15が形成され、該外歯車15には歯車16が噛合している。歯車16は、カッタースポットライトＡの機体側、例えば上記カバー部Ａ4 に設置した基板用の駆動機構17の出力軸17’に装着されており、駆動機構17の作動で歯車16が所定量回動するに伴い、基板20が所定角度回動するようになっている。
18は、上記第一隔壁6a、第二隔壁6bに設けた開口で、これら開口18は円形孔２と同芯状で且つほぼ同じ大きさに形成される。
【００２２】
尚、図示しないが、基板20の適宜箇所には、カッター羽根3a〜3f、基板20のそれぞれの回動量を検出する検出機構を、各カッター羽根3a〜3f、基板20ごとに設ける。
該検出機構としては例えば、上述した歯車11a 〜11f,16に噛合して、駆動機構12a 〜12f,17の作動量（すなわちカッター羽根3a〜3f、基板20の回動量）を検出するポテンションメータなどが例示できる。そうして、そのポテンションメータなどを上述したコントロール部に電気的に接続して、カッター羽根3a〜3f、基板20の回動量を同コントロール部に送り、これにより、コントロール部において各カッター羽根3a〜3f、基板20の位置検出がなされ、この検出情報に基づいて各カッター羽根3a〜3f、基板20の作動制御がなされるよう構成する。
例えば、任意のカッター羽根3a〜3fを適宜角度回動させて、任意枠形の投光を所望の大きさに変更して形成し得るようにする一方、前記カッター羽根3a〜3fの変位角度分だけ上記基板20が逆転するように、それぞれの駆動機構12a 〜12f,17の作動を制御するようにすれば、各カッター羽根3a〜3fで任意枠形に形成される相似形状の投光の向きを一定に保つことができるようになる。
【００２３】
以上のように構成した本例のカッタースポットライトＡによれば、例えば図３に示す状態から、羽根用駆動機構12a,12b,12c,12d の作動により上記４枚のカッター羽根3a,3b,3c,3d を円形孔２の軸線2a方向へ所定量回動させ、円形孔２の形状を、それら４枚のカッター羽根3a〜3dの直線状辺部32で囲まれた四角形状に変更すれば、四角形の枠形を呈する投光を得ることができる。
この時、各カッター羽根3a〜3dの変位角度が一律になるよう各駆動機構12a 〜12d の作動を制御すれば、図５に示すような正方形の枠形を呈する投光を得ることができる。
また、各カッター羽根3a〜3dの変位角度がそれぞれ任意になるよう各駆動機構12a 〜12d の作動を制御することで、菱形、台形などの枠形を呈する投光を得ることができる。
さらに、基板用駆動機構17の作動により基板20を所定量回動させることで、前記四角形の枠形を呈する投光の向きを、任意に変更することができる。
【００２４】
また、例えば図５の状態から、上記４枚のカッター羽根3a,3b,3c,3d を円形孔２の軸線2a方向へさらに所定量回動させ、且つ各カッター羽根3a〜3dの変位角度が一律になるよう各駆動機構12a 〜12d の作動を制御すれば、図５に示すものより一回り小さい正方形、すなわち、図５に示す正方形と相似形の枠形を呈する投光を得ることができる（図６参照）。
さらに、前記カッター羽根3a〜3dの変位角度分だけ基板20が逆転するよう、基板用駆動機構17の作動を制御して基板20を所定量回動させることで、図６の状態で得られる投光を、図５のそれと同じ向きにすることができる。
【００２５】
一方、例えば図３に示す状態から、羽根用駆動機構12d,12e,12f の作動により上記４枚の内の一枚であるカッター羽根3dと、上記２枚のカッター羽根3e,3f との計３枚を軸線2a方向へ所定量回動させ、円形孔２の形状を、それら３枚のカッター羽根3d,3e,3fの直線状辺部32で囲まれた三角形状に変更すれば、三角形の枠形を呈する投光を得ることができる。
この時、各カッター羽根3d,3e,3fの変位角度が一律になるよう各駆動機構12d,12e,12f の作動を制御すれば、図７に示すような正三角形の枠形を呈する投光を得ることができる。
また、各カッター羽根3d,3e,3fの変位角度がそれぞれ任意になるよう各駆動機構12d,12e,12f の作動を制御することで、二等辺三角形やそれ以外の三角形の枠形を呈する投光を得ることができる。
さらに、基板用駆動機構17の作動により基板20を所定量回動させることで、前記三角形の枠形を呈する投光の向きを、任意に変更することができる。
【００２６】
また、例えば図７の状態から、上記３枚のカッター羽根3d,3e,3fを円形孔２の軸線2a方向へさらに所定量回動させ、且つ各カッター羽根3d,3e,3fの変位角度が一律になるよう各駆動機構12d,12e,12f の作動を制御すれば、図７に示すものより一回り小さい正三角形、すなわち、図７に示す正三角形と相似形の枠形を呈する投光を得ることができる。
また、図示しないが、図７に示すものより一回り大きい正三角形の枠形を呈する投光を得る第一の状態から、上記３枚のカッター羽根3d,3e,3fの変位角度が一律になるよう各羽根3d〜3fを軸線2a方向へ回動させて、各駆動機構12d,12e,12f の作動を制御すれば、図７に示す正三角形を得、さらに各カッター羽根3d〜3fの変位角度分だけ基板20が逆転するよう、基板用駆動機構17の作動を制御して基板20を所定量回動させることで、図７の状態で得られた投光を、図８に示す向き、すなわち、前記第一の状態と同じ向きにすることができる。
【００２７】
さらに、任意の駆動機構12a 〜12f の作動によりカッター羽根3a〜3fの内の適宜複数枚を選択的に回動させることで、長方形や五角形以上の多角形、任意な異形状などの各種枠形を呈する投光を得ることができ、また駆動機構17の作動により基板20を所定量回動させることで、前記枠形を呈する投光の向きを任意に変更することができる。
【００２８】
次に、上述したカッター羽根3a〜3fと基板20をレバーの操作で回動させる手動タイプの実施形態の一例を、図９を参照して説明する。尚、図１〜図８に示す前述の実施形態と同様の構成部分は、図示および説明を省略する。
【００２９】
すなわちこの実施形態では、上述したラック状歯部31、歯車11a 〜11f 、外歯車15、駆動機構12a 〜12f,17を設ける代わりに、それぞれのカッター羽根3a〜3fの、枠形を形成しない方の直線状辺部33に沿ってカッタースポットライトＡの機体Ａ’外側へ突出するレバー40a 〜40f をそれぞれ設け、且つ外歯車15、歯車16、駆動機構17を設ける代わりに、筒体13の外周面から前記機体Ａ’の外側へ突出するレバー40g を設け、さらに上述したスペーサ5a,5b を、それぞれのレバー40a 〜40f の回動が邪魔されないように配置してある。
そうして、各レバー40a 〜40g の手動操作により、前述の実施形態と同様に、任意枚数のカッター羽根3a〜3fを適宜角度回動させて、任意枠形で所望の大きさの投光を形成すると共に、基板20を適宜角度回転させて、投光の向きを任意に変更したり、相似形状の投光の向きを一定に保つことができる。
【００３０】
以上、本発明の実施の形態の二例を説明したが、本発明はこれら二つの実施形態に限定されるものではなく、２枚以上のカッター羽根を用いて、円形孔を通過する光を任意枠形にカットして照射するカッタースポットライトに適用可能であり、また、枠形の一辺を形成する直線状辺部32が直線以外（例えば波線や折曲線など）である場合をも含むカッター羽根の形状，大きさ、その配置関係、支軸による支持位置、さらにカッター羽根の枚数等に伴う駆動機構の配設個数や配設箇所の変更等は、本発明の精神を逸脱しない範囲で適宜に変更可能であり、またこのような変更により、三角形、四角形、多角形以外の各種異形状の枠形を呈する投光が得られるようになることは云うまでもない。
【００３１】
以下、上記した二例の実施形態で得られる特有の効果について述べる。
自動タイプと手動タイプの双方の実施形態が奏する効果としては、下記▲１▼〜▲３▼が挙げられる。
▲１▼各カッター羽根3a〜3fの軸支位置が、可能な限り円形孔２に近接して設けられているので、各カッター羽根3a〜3fの大きさをできる限り小さくし、且つその回動量をできる限り少ないものにしながら、各種形状の枠形の投光を形成することができる。よって、カッタースポットライトＡ全体のコンパクト化や低コスト化にも有利である。
▲２▼６枚のカッター羽根3a〜3fの軸支位置が同一円周上にあり、且つ４枚のカッター羽根3a〜3dの軸支位置はその円を４等分する十字状の線上に配置され、またその内の１枚であるカッター羽根3dと２枚のカッター羽根3e,3f の軸支位置はその円を３等分するＹ字状の線上に配置される。よって、前記４枚の羽根3a〜3dの変位量（回動量）が同一になるよう制御することで、それら４枚の羽根3a〜3dで囲まれる正方形の枠形が得られ、また前記３枚の羽根3d〜3fの変位量（回動量）が同一になるよう制御することで、それら３枚の羽根3d〜3fで囲まれる正三角形の枠形が得られるようになり、この種技術分野において最も汎用性をもったカッタースポットライトを提供し得る。
▲３▼上記４枚のカッター羽根3a〜3dを略９０度に開く扇形状、２枚のカッター羽根3e,3f を略120 度に開く扇形状とすることで、それら２枚のカッター羽根3e,3f の回動量をできる限り少ないものにしながら、上記▲１▼，▲２▼の効果を得ることができる。
【００３２】
自動タイプの実施形態が奏する効果としては下記▲４▼、▲５▼が挙げられる。
▲４▼各カッター羽根3a〜3fを扇形とし、該扇形の外周に相当する円弧状辺部31にラック状歯部を形成することで、カッター羽根3a〜3fを回動させるための羽根用駆動機構12a 〜12f 、歯車11a 〜11f 等をアパーチャ１の外周縁側に配設することができ、よって扇形の頂点部分（軸支部34）を円形孔２に可能な限り近接する位置で軸支し得、自動タイプにおいても上記▲１▼の効果を確実に得ることができる。▲５▼上記▲４▼から、羽根用駆動機構12a 〜12f を、高熱となる円形孔２からできる限り離間させて配置し得るので、該駆動機構12a 〜12f の長期の使用にも有利である。
【００３３】
【発明の効果】
本発明のカッタースポットライトは以上説明したように構成したことから、以下に記載される効果を奏する。
（請求項１）
任意枚数のカッター羽根を、支軸を中心に回動させるだけの単純な動作で、任意枠形で所望の大きさの投光を形成し得るので、簡単な構造で再現性、操作性にも優れ、自動制御化も容易に成すことが出来る新規なカッタースポットライトを提供できた。
【００３４】
詳しくは、扇形状の４枚のカッター羽根を、支軸を中心に適宜角度回動させることのみで、少なくとも四つの辺部を備えた、例えば方形状，矩形状，菱形，台形などの枠形を呈する所望の大きさの投光を形成することができる。
【００３５】
また、扇形状の３枚のカッター羽根を、支軸を中心に適宜角度回動させることのみで、少なくとも三つの辺部を備えた、例えば三角形状などの枠形を呈する所望の大きさの投光を形成することができる。
また、各カッター羽根の軸支位置が、可能な限り円形孔に近接して設けられているので、各カッター羽根の大きさをできる限り小さくし、且つその回動量をできる限り少ないものにしながら、各種形状の枠形の投光を形成することができる。よって、カッタースポットライト全体のコンパクト化や低コスト化にも有利である。
【００３６】
（請求項２）
請求項１の効果に加えて、基板を適宜角度回転させることで、投光の向きを任意な方向に変更したり、また相似形状の投光の向きを一定に保つことができ、投光の形状制御、再現性がより簡単になる。
【００３７】
（請求項３）
各カッター羽根、基板の回動を手動で行うタイプにおいても、請求項１、２の効果を確実に得ることができる。
【００３８】
（請求項４）
各カッター羽根、基板の回動を自動で行うタイプにおいても、請求項１、２の効果を確実に得ることができる。
また、各カッター羽根の扇形状の外周に相当する円弧状辺部にラック状歯部を形成することで、カッター羽根を回動させるための羽根用駆動機構、歯車等をアパーチャの外周縁側に配設することができる。よって、各カッター羽根を円形孔に可能な限り近接する位置で軸支し得、自動タイプにおいても上記の効果を確実に得ることができる。さらに、羽根用駆動機構を、高熱となる円形孔からできる限り離間させて配置し得るので、該駆動機構の長期の使用にも有利である。
【図面の簡単な説明】
【図１】本発明に係るカッタースポットライトの実施の形態の一例を示す概略断面図。
【図２】図１の要部拡大図。
【図３】図２の（Ｘ）−（Ｘ）線に沿う断面図。
【図４】図３の（Ｙ）−（Ｙ）線に沿う断面図。
【図５】方形を呈する投光を形成する状態を示す要部の簡略正面図。
【図６】方形を呈する投光を形成する状態を示す要部の簡略正面図。
【図７】三角形を呈する投光を形成する状態を示す要部の簡略正面図。
【図８】三角形を呈する投光を形成する状態を示す要部の簡略正面図。
【図９】  本発明に係るカッタースポットライトの実施の形態の他例を示す要部の概略正面図。
【符号の説明】
Ａ：カッタースポットライト
ａ1:カッター部
１：アパーチャ
２：円形孔
2a：軸線
3a〜3f：カッター羽根
4a〜4f：支軸
12a 〜12f:羽根用の駆動機構
17：基板用の駆動機構
20：基板
40a 〜40g:レバー
【図１】
0003933252.tif 000002
【図２】
0003933252.tif 000003
【図３】
0003933252.tif 000004
【図４】
0003933252.tif 000005
【図５】
0003933252.tif 000006
【図６】
0003933252.tif 000007
【図７】
0003933252.tif 000008
【図８】
0003933252.tif 000009
【図９】
0003933252.tif 000010